(57)【要約】      （修正有）【課題】安全性及び強度を確保することができる上、組み立て易く、人的コストを節減することができる高強度のエレベータのフレーム構造を提供する。【解決手段】高強度のエレベータのフレーム構造１は、複数の主ロッド１０及び複数の側板１３を備える。主ロッド１０は、フレームの四隅に配置される。複数の主ロッド１０と、主ロッド１０に接続された複数の側板１３とにより、フレームを配置する立体空間が形成される。主ロッド１０、フレーム及び側板１３により、槽状の空間が形成される。側板１３の各階層に対応する位置には、出口が設けられる。主ロッド１０の底部には、複数の締結孔１２を有する台座１１が設けられる。【選択図】図１
0003175837.tif 000002
【実用新案登録請求の範囲】
【請求項１】
複数の主ロッド及び複数の側板を備えた高強度のエレベータのフレーム構造であって、
前記主ロッドは、フレームの四隅に配置され、
複数の前記主ロッドと、前記主ロッドに接続された複数の前記側板とにより、前記フレームを配置する立体空間が形成され、
前記主ロッド、前記フレーム及び前記側板により、槽状の空間が形成され、
前記側板の各階層に対応する位置には、出口が設けられ、
前記主ロッドの底部には、複数の締結孔を有する台座が設けられることを特徴とする高強度のエレベータのフレーム構造。
【請求項２】
前記主ロッドの前記台座に設けられた前記締結孔に貫設されるボルトが予め埋設されたベースをさらに備えることを特徴とする請求項１に記載の高強度のエレベータのフレーム構造。
【請求項３】
前記主ロッド、複数の前記側板及び前記フレームにより形成された槽状の空間には、前記フレームの周囲の強度を高めるコンクリートが注入されることを特徴とする請求項１に記載の高強度のエレベータのフレーム構造。
【請求項４】
前記主ロッドは鋳造品又は圧延品であることを特徴とする請求項２に記載の高強度のエレベータのフレーム構造。
【請求項５】
前記主ロッドは山形鋼、角鋼、口形鋼、Ｈ形鋼又は丸鋼であることを特徴とする請求項２に記載の高強度のエレベータのフレーム構造。
【考案の詳細な説明】
【技術分野】
【０００１】
本考案は、高強度のエレベータのフレーム構造に関するものであり、さらに詳しくは、主ロッド、複数の側板及びフレームにより形成された槽状の空間にコンクリートを注入することにより、フレームの周囲の強度を高めることができる高強度のエレベータのフレーム構造に関するものである。
【背景技術】
【０００２】
エレベータは、高層ビルが多い都市において、必要不可欠な装置の一つである。
【０００３】
一般に、従来のエレベータは、まず型枠にコンクリートを打設してエレベータシャフト及び機械室を製作する必要がある。このため、施工工程が複雑であるという問題を有する。特に、限られた空間内で全ての部品を用いて施工する必要があるため、危険性が高く、労力及び時間のロスを招き、コストが高くなるという問題も指摘されてきた。
【０００４】
すなわち、従来のエレベータの構造については、以下（１）及び（２）の問題点を有する。
（１）従来の施工方式は、工程数が多い上、工程の大部分を施工現場で行う必要があるため、多数の部品の調達及び搬送等を要し、煩雑である。
（２）従来の施工方式は、労力及び作業時間のロスを招き、コストが高い。
【０００５】
かかる状況下において、特開２０１０−３０７３６号公報（以下、「特許文献１」という。）には、免震装置上の上部構造体の基礎部分を構築した時点で、エレベータシャフトの構築用鉄骨を吊り降ろし、エレベータシャフトの鉄骨フレームを組み立て、エレベータシャフトの床を施工の上、エレベータシャフトの壁としてＡＬＣ等のプレキャスト板を取り付けるエレベータシャフトの構築方法が記載されている。しかし、施工現場での複数の工程を要するものであり、前記の問題点を解消しているものではない。
【特許文献１】特開２０１０−３０７３６号公報
【考案の概要】
【考案が解決しようとする課題】
【０００６】
従って、本考案の課題は、工程数を低減させることが可能であり、安全性にも優れ、また、強度を確保することができる高強度のエレベータのフレーム構造を提供することにある。
【０００７】
また、本考案のもう一つの課題は、組み立て易く、人的コストを節減することができる高強度のエレベータのフレーム構造を提供することにある。
【課題を解決するための手段】
【０００８】
そこで、本考案者は、前記の本考案の課題を解決するため鋭意検討を重ねた結果、後記の構造からなるエレベータのフレームの部材を設置現場ではなく、製作工場で組み立てた後、搬送した後、設置することにより上記問題点を解決できることに着目し、かかる知見に基いて本考案に想到するに至った。
【０００９】
かくして、前記課題を解決するために、本考案によれば、複数の主ロッド及び複数の側板を備えた高強度のエレベータのフレーム構造であって、
前記主ロッドは、フレームの四隅に配置され、複数の前記主ロッドと、前記主ロッドに接続された複数の前記側板とにより、前記フレームを配置する立体空間が形成され、
前記主ロッド、前記フレーム及び前記側板により、槽状の空間が形成され、
前記側板の各階層に対応する位置には、出口が設けられ、前記主ロッドの底部には、複数の締結孔を有する台座が設けられることを特徴とする高強度のエレベータのフレーム構造
が提供される。
【００１０】
前記主ロッドの前記台座に設けられた前記締結孔に貫設されるボルトが予め埋設されたベースをさらに備えることが好ましい。
【００１１】
前記主ロッド、複数の前記側板及び前記フレームにより形成された槽状の空間には、前記フレームの周囲の強度を高めるコンクリートが注入されることが好ましい。
【００１２】
前記主ロッドは鋳造品又は圧延品であることが好ましい。
【００１３】
前記主ロッドは山形鋼、角鋼、口形鋼、Ｈ形鋼又は丸鋼であることが好ましい。
【考案の効果】
【００１４】
本考案の高強度のエレベータのフレーム構造は、工程数を低減させることができ、また、安全性にも優れたものであり、さらに、強度を確保することができる上、組立が容易であり
、人的コストを節減することができる。
【図面の簡単な説明】
【００１５】
【図１】本考案の第１実施形態に係る高強度のエレベータのフレーム構造を示す斜視図である。
【図２】本考案の第１実施形態に係る高強度のエレベータのフレーム構造を示す分解斜視図である。
【図３】本考案の第１実施形態に係る高強度のエレベータのフレーム構造を示す斜視図である。
【図４】本考案の第１実施形態に係る高強度のエレベータのフレーム構造を示す平面図である。
【図５】本考案の第２実施形態に係る高強度のエレベータのフレーム構造を示す平面図である。
【図６】本考案の第３実施形態に係る高強度のエレベータのフレーム構造を示す平面図である。
【図７】本考案の第４実施形態に係る高強度のエレベータのフレーム構造を示す平面図である。
【図８】本考案の第５実施形態に係る高強度のエレベータのフレーム構造を示す平面図である。
【考案を実施するための形態】
【００１６】
以下、本考案の実施形態について図面に基づいて説明する。なお、これによって本考案が限定されるものではない。
【００１７】
（第１実施形態）
図１及び図２を参照する。図１及び図２に示すように、本考案の第１実施形態に係るエレベータのフレーム構造１は、少なくとも複数の主ロッド１０及び複数の側板１３から構成される。
【００１８】
（第２実施形態〜第５実施形態）
複数の主ロッド１０は、圧延又は鋳造された山形鋼、角鋼、口形鋼、Ｈ形鋼又は丸鋼の棒鋼（図４〜図８参照。）であり、四隅に配置されている。主ロッド１０は、運搬車両で搬送することができる長さ（約１２メートル〜１３メートル）に限定され、横断面が矩形状であるものが好ましい。主ロッド１０には台座１１が設けられている。台座１１には、ベース３に予め埋設されたボルト３１１が貫設される複数の締結孔１２が設けられている（図３参照。）。
【００１９】
複数の側板１３は、溶接により主ロッド１０の側辺に接続されている。主ロッド１０及び側板１３により、長方体が形成されている。側板１３は、スチールからなり、高さが主ロッド１０と同じである。
【００２０】
エレベータのフレーム構造１には、複数の壁板２１からなるフレーム２が固定されている（図３〜図８参照）。壁板２１は、一列に配列された複数のＣ形鋼２１１からなり、溶接により主ロッド１０に接続されている。Ｃ形鋼２１１には、外に向かう開口部２１２が設けられている。主ロッド１０及びフレーム２により、立体空間が形成されている。コンクリート１４は、主ロッド１０、複数の側板１３及びフレーム２により形成された槽状の空間に注入され、フレーム２の周囲の強度を高める。側板１３の建築物の各階層に対応する位置には、出口１３１が設けられている。エレベータのフレーム構造１全体はベース３内に配置される。ベース３は、建築物の基礎の一部分であり、１階に凹設されている。ベース３には、長さ及び広さがエレベータのフレーム構造１と同じである内部空間３１が設けられている。内部空間３１の底面には、複数のボルト３１１が予め埋設されている。複数のボルト３１１は、主ロッド１０の台座１１に設けられた締結孔１２に貫設されて固定される。
【００２１】
本考案の部材は、全て工場で製造されて組み立てられる。工場は、空間が十分に広く、設備が整っているため、労力を集中させると、短時間で効率よく作業することができる。部材は、製造されて組み立てられた後、建築物の施工現場まで運搬され、吊り下げられる。コンクリート１４は、組み立てられた部材により形成された槽状の空間に注入される。このように、本考案は、作業効率を高めてコストを節減することができる。
【００２２】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１  エレベータのフレーム構造
２  フレーム
３  ベース
１０  主ロッド
１１  台座
１２  締結孔
１３  側板
１４  コンクリート
２１  壁板
３１  内部空間
１３１  出口
２１１  Ｃ形鋼
２１２  開口部
３１１  ボルト
【図１】
0003175837.tif 000003
【図２】
0003175837.tif 000004
【図３】
0003175837.tif 000005
【図４】
0003175837.tif 000006
【図５】
0003175837.tif 000007
【図６】
0003175837.tif 000008
【図７】
0003175837.tif 000009
【図８】
0003175837.tif 000010